(57)【要約】      （修正有）【課題】四足ペットが肥満であるか否かを、常に正確に判断することのできる四足ペット用の衣服を提供する。【解決手段】四足ペットＤに装着する衣服本体２と、衣服本体２の全周またはその一部に沿って、四足ペットＤの胴部を囲み、一方端部と他方端部３ｂとが重合する形態で設けられ、一方端部および他方端部３ｂに両者を着脱自在に係合するための係合部が設けられた帯部分３と、を設ける。そして、帯部分３の一方端部と他方端部３ｂの重合部分の目盛Ｓを読むことによって、四足ペットＤが肥満か否かを判断する。【選択図】図１
0003144383.tif 000002
【実用新案登録請求の範囲】
【請求項１】
四足ペット（Ｄ）が肥満か否かを判断することのできる四足ペット用の衣服であって、四足ペット（Ｄ）に着せる衣服本体（２）に胴部（Ｄａ）を囲む非伸縮布製帯部分（３）を設け、該帯部分（３）に四足ペット胴部（Ｄａ）外周囲を測定するための目盛（Ｓ）を設けた四足ペット用衣服。
【請求項２】
四足ペット（Ｄ）が肥満か否かを判断することのできる四足ペット用の衣服であって、前記四足ペットに着せる衣服本体（２）と、前記衣服本体の全周またはその一部に沿って，前記四足ペットの胴部を囲み，一方端部（３ａ）と他方端部（３ｂ）とが重合する形態で設けられ，前記一方端部および他方端部に両者を着脱自在に係合するための係合部（４）が設けられた非伸縮布製帯部分（３）と，を備え、前記帯部分の一方端部と他方端部の重合部分に前記四足ペットが肥満か否かを測定するための目盛（Ｓ）を設けた四足ペット用衣服。
【請求項３】
四足ペット（Ｄ）が肥満か否かを判断することのできる四足ペット用の衣服であって、前記四足ペットに着せる衣服本体（２）と、前記衣服本体の全周またはその一部に沿って，前記四足ペットの胴部を囲み，一方端部（３ａ）と他方端部（３ｂ）とが重合する形態で設けられ，前記一方端部および他方端部に両者を着脱自在に係合するための係合部（４）が設けられた非伸縮布製帯部分（３）と，を備え、前記係合部が面状ファスナー（５）で構成され、前記帯部分の一方端部と他方端部の重合部分に前記四足ペットが肥満か否かを測定するための目盛（Ｓ）を設けた四足ペット用衣服。
【請求項４】
四足ペット（Ｄ）が肥満か否かを判断することのできる四足ペット用の衣服であって、前記四足ペットに着せる衣服本体（２）と、前記衣服本体の全周またはその一部に沿って，前記四足ペットの胴部を囲み，一方端部（３ａ）と他方端部（３ｂ）とが重合する形態で設けられ，前記一方端部および他方端部に両者を着脱自在に係合するための係合部（４）が設けられた非伸縮布製帯部分（３）と，を備え、前記係合部がバックル（６）で構成され、前記帯部分の一方端部と他方端部の重合部分に前記四足ペットが肥満か否かを測定するための目盛（Ｓ）を設けた四足ペット用衣服。
【考案の詳細な説明】
【技術分野】
【０００１】
本考案は、四足ペットが肥満か否かを判断することのできる四足ペット用衣服に関するものである。
【背景技術】
【０００２】
多くの家庭において四足ペットが飼われているが、近年、カロリーの高い餌を与えすぎるなどの理由から肥満四足ペットが増え、人間同様、それがもとでの病気が増えている。人間の場合、腹囲が男性で８５ｃｍ以上、女性で９０ｃｍ以上が肥満でメタボリック症候群である可能性が高いと言われている。
【０００３】
この点、犬の場合は犬種によって大きさや体型が異なるため、一概に腹囲を基準に肥満であるか否かを判断することは難しいものの、一般的に、（イ）上から見てウエストがくびれているか、（ロ）胸をさわって、あばら骨がわかるか、（ハ）背骨を触れるか、などで肥満か否かを知ることができると言われている。
【考案の開示】
【考案が解決しようとする課題】
【０００４】
しかし、上記した判断方法はいずれも飼い主などの主観で判断するものであり客観性に欠けるため、必ずしも正確であるとは言えない。従って、そうした判断基準に頼っていると、気がつかないうちに肥満四足ペットになっている場合が多い。
【０００５】
本考案はこうした点に鑑み創案されたもので、四足ペットが肥満であるか否かを、常に正確に判断することのできる四足ペット用の衣服を提供することを課題とする。
【課題を解決するための手段】
【０００６】
図１乃至図９を参照して説明する。請求項１に記載の四足ペット用衣服１は、四足ペットＤが肥満か否かを判断することのできる四足ペットの衣服であって、四足ペットＤに着せる衣服本体２に胴部Ｄａを囲む非伸縮布製帯部分３を設け、該帯部分３に四足ペット胴部Ｄａ外周囲を測定するための目盛Ｓを設けたものである。
【０００７】
請求項２に記載の四足ペット用衣服１は、四足ペットＤが肥満か否かを判断することのできる四足ペットの衣服であって、前記四足ペットＤに装着する衣服本体２と、前記衣服本体２の全周またはその一部に沿って、前記四足ペットＤの胴部を囲み、一方端部３ａと他方端部３ｂとが重合する形態で設けられ、前記一方端部３ａおよび他方端部３ｂに両者を着脱自在に係合するための係合部４が設けられた非伸縮布製帯部分３と、を備える。そして、前記帯部分３の一方端部３ａと他方端部３ｂの重合部分に前記四足ペットＤが肥満か否かを判断するための目盛Ｓを設けたものである。
【０００８】
請求項３に記載の四足ペット用衣服１は、四足ペットＤが肥満か否かを判断することのできる四足ペットの衣服であって、前記四足ペットＤに装着する衣服本体２と、前記衣服本体２の全周またはその一部に沿って、前記四足ペットＤの胴部を囲み、一方端部３ａと他方端部３ｂとが重合する形態で設けられ、前記一方端部３ａおよび他方端部３ｂに両者を着脱自在に係合するための係合部４が設けられた非伸縮布製帯部分３と、を備える。また、前記係合部４が面状ファスナー５で構成されている。そして、前記帯部分３の一方端部３ａと他方端部３ｂの重合部分に前記四足ペットＤが肥満か否かを判断するための目盛Ｓを設けたものである。
【０００９】
請求項４に記載の四足ペット用衣服１は、四足ペットＤが肥満か否かを判断することのできる四足ペットの衣服であって、前記四足ペットＤに装着する衣服本体２と、前記衣服本体２の全周またはその一部に沿って、前記四足ペットＤの胴部を囲み、一方端部３ａと他方端部３ｂとが重合する形態で設けられ、前記一方端部３ａおよび他方端部３ｂに両者を着脱自在に係合するための係合部４が設けられた非伸縮布製帯部分３と、を備える。また、前記係合部４がバックル６で構成されている。そして、前記帯部分３の一方端部３ａと他方端部３ｂの重合部分に前記四足ペットＤが肥満か否かを判断するための目盛Ｓを設けたものである。
【考案の効果】
【００１０】
請求項１に記載の四足ペット用衣服は、帯部分３の弛みを指で抓んで重合し、目盛Ｓをみることにより胴部Ｄａの外周を測定することが出来る。
【００１１】
請求項２に記載の四足ペット用衣服１は、衣服本体２と帯部分３とを備え、帯部分３の一方端部３ａと他方端部３ｂの重合部分の目盛Ｓを読むことによって、四足ペットＤが肥満か否かを判断するので、常に正確かつ容易に判断することができる。
【００１２】
すなわち、衣服本体２を四足ペットＤに装着させた状態で、帯部分３の一方端部３ａと他方端部３ｂとを四足ペットＤの胴部を軽く締め付ける状態で重合して係合部４で留め、例えば、一方端部３ａの先端が位置する箇所を他方端部３ｂの目盛Ｓで視認し、その数値（または印）をその四足ペットＤの過去の健康時の数値あるいは同種四足ペットの平均数値などと比較する。こうすることによって、その四足ペットＤが肥満か否かを正確に判断することができる。
【００１３】
また、衣服本体２に帯部分３を設けたことによって、この帯部分３がこれまでの四足ペット用の衣服にはなかった独特の装飾性を発揮する。従って、意匠性の点においても優れた効果を発揮する。
【００１４】
請求項３に記載の四足ペット用衣服１は、請求項２に記載の考案と同様の効果を発揮する。また、係合部４が面状ファスナー５で構成されているので、帯部分３の一方端部３ａと他方端部３ｂの重合位置を微調整して正確な位置で重合させることができる。従って、四足ペットＤの腹囲をより正確に判断することができ、当該四足ペットＤが肥満か否かをさらに正確に判断することができる。
【００１５】
請求項４に記載の四足ペット用衣服１は、請求項２に記載の考案と同様の効果を発揮する。また、係合部４がバックル６で構成されているので、帯部分３の一方端部３ａと他方端部３ｂを確実かつ強固に係合させることができる。
【考案を実施するための最良の形態】
【００１６】
四足ペットとして犬を例示して説明する。本考案に係る四足ペット用衣服１の第一実施形態を、図１乃至図３に示す。これは、四足ペットＤが肥満か否かを判断することので四足ペットのための衣服であって、衣服本体２と帯部分３とで構成される。衣服本体２は、四足ペットＤの胴部を、腹部を開放した状態で装着する構成である。この衣服本体２には、当該衣服本体２を四足ペットＤの胴部に固定するための紐片７を設けている。なお、衣服本体２の形状は限定されるものではなく、腹部を含む胴部の全体を覆うものであっても良いし、また、前脚や後ろ脚を通す穴部を形成したものであっても良い。
【００１７】
帯部分３は、衣服本体２の全周に沿って、前記四足ペットＤの胴部を囲み、一方端部３ａと他方端部３ｂとが重合する形態で設けられている。この非伸縮布製帯部分３は衣服本体２に、縫い付けや貼り付けで取付けることができ、さらに、両者を一体的に形成することもできる。また、一方端部３ａおよび他方端部３ｂに両者を着脱自在に係合するための係合部４が設けられている。この係合部４は、面状ファスナー５で構成されている。面状ファスナー５は、一方端部３ａに突条部５ａを設けると共に他方端部３ｂにループ部５ｂを設け、両者を着脱自在に係合させるものである。
【００１８】
そして、帯部分３の一方端部３ａと他方端部３ｂの重合部分の目盛Ｓを読むことによって、当該四足ペットＤが肥満か否かを判断するものである。なお、目盛Ｓの読み方は、例えば、他方端部３ｂ（あるいは一方端部３ａ）の先端Ｐを基準とし、その先端Ｐが指す一方端部３ａ（あるいは他方端部３ｂ）の目盛Ｓの数値を読むことによって行うことができる。例えば、図２において、他方端部３ｂの先端Ｐが一方端部３ａに設けた目盛Ｓの５０ｃｍを指していれば、その四足ペットＤの腹囲は５０ｃｍということになる。
【００１９】
なお、他方端部３ｂ（または一方端部３ａ）の先端Ｐを基準とする代わりに、他方端部３ｂ（または一方端部３ａ）の所定箇所に印を設け、その印を基準としても良い。また、目盛Ｓは数値に限定されず、星マークなどの印を設けることもできる。
【００２０】
なお、上記実施形態では帯部分３を衣服本体２の全周に沿って設けているが、本考案はこれに限定されるものではなく、例えば、図４の第２の実施形態に示すように、衣服本体２と一体に設けることもできる。
【００２１】
本実施形態に係る四足ペット用衣服１は、次のように使用することができる。まず、衣服本体２を四足ペットＤに装着させた状態で、帯部分３の一方端部３ａと他方端部３ｂとを四足ペットＤの胴部を軽く締め付ける状態で重合して係合部４で留める。次に、前記したように、例えば、他方端部３ｂの先端Ｐが位置する箇所を一方端部３ａの目盛Ｓで視認する。そして、その数値（または印）をその四足ペットＤの健康時の過去の数値あるいは同種四足ペットの平均数値などと比較する。これにより、その四足ペットＤが肥満か否かを正確かつ容易に判断することができる。
【００２２】
なお、この四足ペット用衣服１は常に装着しておくことで、いつでも簡単に数値を判断することができる。また、衣服本体２に設けた帯部分３は装飾の効果も発揮するので、意匠性に優れた衣服とすることができる。
【００２３】
また、上記実施形態に係る四足ペット用衣服１は、係合部４が面状ファスナー５で構成されているので、帯部分３の一方端部３ａと他方端部３ｂの重合状態を容易に微調整することができる。従って、四足ペットＤの腹囲をより正確に判断することができるといった効果を発揮する。
【００２４】
なお、上記実施形態に係る四足ペット用衣服１は、係合部４を面状ファスナー５で構成しているが、本考案はそれに限定されるものではなく、例えば、図５の第三の実施形態に示すようなバックル６で構成することもできる。ここでは、帯部分３の一方端部３ａにバックル本体６ａを設け、他方端部３ｂにバックル本体６ａの突起部６ｂが挿通する複数の孔部６ｃを設けて構成している。係合部４をバックル６で構成することで、帯部分３の一方端部３ａと他方端部３ｂを確実かつ強固に係合させることができるといった利点がある。
【００２５】
図６乃至図９に示す第四の実施形態のものは、筒状の衣服本体２の胴部に目盛３がプリントされており、目盛の起点０を指で抓んで弛みを取り（図８）、目盛３に当てることにより、図９に示す如く、測定する。
【００２６】
四足ペットとしては、犬のほか猫やハムスターが挙げられる。
【図面の簡単な説明】
【００２７】
【図１】本考案に係る四足ペット用衣服の実施形態を示す斜視図である。
【図２】図１に示す四足ペット用衣服の一部省略正面図である。
【図３】図１に示す四足ペット用衣服の係合部を示す拡大側面図である。
【図４】本考案に係る四足ペット用衣服の第二の実施形態を示す正面図である（紐片省略）。
【図５】本考案に係る四足ペット用衣服における係合部の第三の実施形態を示す拡大側面図である。
【図６】第四の実施形態の斜視図である。
【図７】図６のＹ−Ｙ断面図である。
【図８】図６の帯部分を抓んで弛みをとった状態図である。
【図９】図８のＺ視図である。
【符号の説明】
【００２８】
１        四足ペット用衣服
２        衣服本体
３        帯部分
３ａ      一方端部
３ｂ      他方端部
４        係合部
５        面状ファスナー
５ａ      突条部
５ｂ      ループ部
６        バックル
６ａ      バックル本体
６ｂ      突起部
６ｃ      孔部
７        紐片
Ｄ        四足ペット
Ｄａ      胴部
Ｐ        他方端部の先端
Ｓ        目盛
【図１】
0003144383.tif 000003
【図２】
0003144383.tif 000004
【図３】
0003144383.tif 000005
【図４】
0003144383.tif 000006
【図５】
0003144383.tif 000007
【図６】
0003144383.tif 000008
【図７】
0003144383.tif 000009
【図８】
0003144383.tif 000010
【図９】
0003144383.tif 000011